(57)【要約】無線通信システムにおいて制御情報の構成および送信を容易にするシステムおよび方法論が記載される。本明細書に記載されるように、アクノレッジメント（ＡＣＫ）シグナリングおよびチャネル品質情報（ＣＱＩ）シグナリングの、共通のサブフレームにおけるスケジュールされた送信が、限定されたリンク・バジェットのネットワークを実現するために適応されうる。限定されたリンク・バジェットでは、ＡＣＫシグナリングについて所望の誤り率レベルを保証するために、ＡＣＫシグナリングが、複数のサブフレームによる繰り返しのために構成されうる。これらの目的のために、本明細書に記載のさまざまな態様は、ＡＣＫシグナリングの繰り返しファクタに基づいて、データとともに送信されるべきＡＣＫシグナリングに適用される符合化レートの修正を容易にする。それに加えて、および／または、その代わりに、本明細書に記載されたさまざまな態様は、ＣＱＩシグナリングとＡＣＫシグナリングとが実質的に同時に送信されることになっており、ＡＣＫ送信が複数のサブフレームにわたって繰り返されるように構成されているサブフレームにおけるＣＱＩシグナリングの破棄と、ＡＣＫシグナリングのみの送信とを容易にする。
2011502436.tif 000002
【特許請求の範囲】
【請求項１】
無線通信システムにおいて制御情報を送信する方法であって、
共通のサブフレームで送信されるべきアクノレッジメント（ＡＣＫ）情報とチャネル品質情報（ＣＱＩ）とを識別することと、
前記ＡＣＫ情報が、複数のサブフレームにわたって繰り返されるように構成されているかを判定することと、
前記ＡＣＫ情報が、複数のサブフレームにわたって繰り返されるように構成されていると判定されると、前記ＣＱＩ無しで前記ＡＣＫ情報を送信することと
を備える方法。
【請求項２】
前記ＡＣＫ情報および前記ＣＱＩとともに送信されるべきデータを識別することと、
前記ＡＣＫ情報または前記ＣＱＩのうちの少なくとも１つを、前記識別されたデータと多重化し、多重化された信号を生成することと、
前記多重化された信号の送信を送信することと
をさらに備える請求項１に記載の方法。
【請求項３】
前記多重化することは、前記ＡＣＫ情報または前記ＣＱＩのうちの少なくとも１つを、前記識別されたデータと、前記データの送信のために確保されたリソースで多重化することを備える請求項２に記載の方法。
【請求項４】
前記多重化することは、
前記ＡＣＫ情報が複数のサブフレームにわたって繰り返されるように構成されているかの判定に基づいて、符合化レートを選択することと、
前記選択された符合化レートを用いて、前記ＡＣＫ情報を符合化することと
を備える請求項２に記載の方法。
【請求項５】
データ無しで送信されるべきであるＡＣＫ情報またはＣＱＩのうちの１または複数を識別することと、
前記ＡＣＫ情報または前記ＣＱＩのうちの１または複数を、制御シグナリングのために確保されたリソースで送信することと
をさらに備える請求項１に記載の方法。
【請求項６】
前記送信することは、前記ＡＣＫ情報が、複数のサブフレームにわたって繰り返されるように構成されていないと判定されると、前記識別されたＡＣＫ情報と、前記識別されたＣＱＩとを、前記識別されたＣＱＩのために確保されたリソースでともに符合化することを備える請求項５に記載の方法。
【請求項７】
前記送信することは、前記ＡＣＫ情報が、複数のサブフレームにわたって繰り返されるように構成されていないと判定されると、前記識別されたＡＣＫ情報に基づいて、１または複数の復調基準信号を変調することを備える請求項５に記載の方法。
【請求項８】
前記ＣＱＩ無しで前記ＡＣＫ情報を送信することは、前記ＡＣＫ情報を、関連付けられたダウンリンク割当の第１の制御チャネル要素に関連付けることを備える請求項１に記載の方法。
【請求項９】
バイナリ・フェーズ・シフト・キーイング（ＢＰＳＫ）または直交フェーズ・シフト・キーイング（ＱＰＳＫ）のうちの１または複数を用いて前記ＡＣＫ情報を変調することをさらに備える請求項１に記載の方法。
【請求項１０】
前記変調することは、前記ＡＣＫ情報が提供されるべきストリームの数に応じて、前記ＡＣＫ情報のために適用する変調スキームを選択することを備える請求項９に記載の方法。
【請求項１１】
前記ＡＣＫ情報、ＣＱＩ、またはデータのうちの１または複数を、シングル・キャリア波形として送信することをさらに備える請求項１に記載の方法。
【請求項１２】
前記ＣＱＩは、チャネル品質表示、事前符号化行列表示、あるいはランク情報のうちの１または複数を備える請求項１に記載の方法。
【請求項１３】
実質的に同時に送信されるべきアクノレッジメント（ＡＣＫ）／否定的なアクノレッジメント（ＮＡＫ）シグナリングと、チャネル品質情報（ＣＱＩ）シグナリングとに関連するデータを格納するメモリと、
前記ＡＣＫ／ＮＡＫシグナリングが複数のサブフレームにわたる送信を繰り返すように構成されているかを判定し、前記ＡＣＫ／ＮＡＫシグナリングが複数のサブフレームにわたる送信を繰り返すように構成されていると判定されると、前記ＣＱＩシグナリングを破棄して、所与のサブフレームにおいて、前記ＡＣＫ／ＮＡＫシグナリングのみを送信するように構成されたプロセッサと
を備える無線通信装置。
【請求項１４】
前記メモリはさらに、前記ＡＣＫ／ＮＡＫシグナリングおよびＣＱＩシグナリングとともに送信されるべきデータを格納し、
前記プロセッサはさらに、前記ＡＣＫ／ＮＡＫシグナリングまたは前記ＣＱＩシグナリングのうちの少なくとも１つを、ともに送信されるべきデータとともに埋め込むように構成された請求項１３に記載の無線通信装置。
【請求項１５】
前記プロセッサはさらに、前記ＡＣＫ／ＮＡＫシグナリングまたは前記ＣＱＩシグナリングのうちの少なくとも１つを、ともに送信されるべきデータとともに埋め込むことによって得られた信号を、前記データの送信のために確保されたリソースで通信するように構成された請求項１４に記載の無線通信装置。
【請求項１６】
前記プロセッサはさらに、前記ＡＣＫ／ＮＡＫシグナリングが複数のサブフレームにわたって送信を繰り返すように構成されているかの判定に基づいて、前記ＡＣＫ／ＮＡＫシグナリングの符合化レートを選択し、前記選択された符合化レートを用いて、前記ＡＣＫ／ＮＡＫシグナリングを、ともに送信されるべきデータへ埋め込むように構成された請求項１４に記載の無線通信装置。
【請求項１７】
前記プロセッサはさらに、前記ＡＣＫ／ＮＡＫシグナリングまたは前記ＣＱＩシグナリングのうちの１または複数を、制御シグナリングの送信のために確保されたリソースで通信するように構成された請求項１３に記載の無線通信装置。
【請求項１８】
前記プロセッサはさらに、前記ＡＣＫ／ＮＡＫシグナリングが複数のサブフレームにわたって送信を繰り返すように構成されていないと判定されると、前記ＡＣＫ／ＮＡＫシグナリングおよびＣＱＩシグナリングのために、ＣＱＩの送信のために確保されたリソースでともに符号化するスキームを適用するように構成された請求項１７に記載の無線通信装置。
【請求項１９】
前記プロセッサはさらに、前記ＡＣＫ／ＮＡＫシグナリングが複数のサブフレームにわたって送信を繰り返すように構成されていないと判定されると、前記サブフレーム内の１または複数の基準信号を、前記ＡＣＫ／ＮＡＫシグナリングに基づいて変調するように構成された請求項１７に記載の無線通信装置。
【請求項２０】
前記プロセッサはさらに、前記ＡＣＫ／ＮＡＫシグナリングを、関連付けられたダウンリンク割当に対応する第１の制御チャネル要素に関連付けるように構成された請求項１３に記載の無線通信装置。
【請求項２１】
前記プロセッサはさらに、バイナリ・フェーズ・シフト・キーイング（ＢＰＳＫ）または直交フェーズ・シフト・キーイング（ＱＰＳＫ）のうちの１または複数を用いて前記ＡＣＫ／ＮＡＫシグナリングを変調するように構成された請求項１３に記載の無線通信装置。
【請求項２２】
前記プロセッサはさらに、前記無線通信装置が前記ＡＣＫ／ＮＡＫシグナリングを提供するように構成されたストリームの数に基づいて、前記ＡＣＫ／ＮＡＫシグナリングを変調する際に適用する変調スキームを選択するように構成された請求項２１に記載の無線通信装置。
【請求項２３】
前記メモリによって格納されたＣＱＩシグナリングに関連するデータは、チャネル品質データ、事前符号化行列、あるいはランク情報のうちの１または複数を備える請求項１３に記載の無線通信装置。
【請求項２４】
無線通信システムにおいて、アクノレッジメント（ＡＣＫ）／否定的なアクノレッジメント（ＮＡＫ）情報を構成することを容易にする装置であって、
チャネル品質情報（ＣＱＩ）と共通のサブフレームで送信されるべきＡＣＫ／ＮＡＫ情報を識別する手段と、
前記ＡＣＫ／ＮＡＫ情報が、複数のサブフレームにわたって繰り返されるように構成されていると判定されると、ＡＣＫ／ＮＡＫ情報およびＣＱＩの送信のための共通のサブフレームから前記ＣＱＩを破棄する手段と
を備える装置。
【請求項２５】
コンピュータ・プログラム製品であって、
チャネル品質情報（ＣＱＩ）シグナリングと実質的に同時に送信されるべきアクノレッジメント（ＡＣＫ）シグナリングを識別するためのコードと、
前記ＡＣＫシグナリングが連続して繰り返される送信で通信されるべきであるかを判定するためのコードと、
前記ＡＣＫシグナリングが連続して繰り返される送信で通信されるべきであると判定されると、前記ＡＣＫシグナリングのために利用される符号化レートを減少させること、あるいは、前記ＣＱＩシグナリング無しで前記ＡＣＫシグナリングを送信することのうちの１または複数を実行するためのコートと、
を備えるコンピュータ読取可能媒体を備えるコンピュータ・プログラム製品。
【請求項２６】
無線通信システムにおいて制御情報を送信するためのコンピュータ実行可能な命令群を実行する集積回路であって、
前記命令群は、
アクノレッジメント（ＡＣＫ）／否定的なアクノレッジメント（ＮＡＫ）送信が送信を繰り返すように構成されていないと判定されると、前記ＡＣＫ／ＮＡＫ送信とチャネル品質情報（ＣＱＩ）送信とを共通のサブフレームで実行することと、
前記ＡＣＫ／ＮＡＫ送信が、送信を繰り返すように構成されていると判定されると、前記ＡＣＫ／ＮＡＫ送信と前記ＣＱＩ送信とが実質的に同時に実行されるべきサブフレームにおいて、ＣＱＩ送信無しでＡＣＫ／ＮＡＫ送信を実行することと
を備える集積回路。
【発明の詳細な説明】
【相互参照】
【０００１】
本願は、２００７年１０月３０日に出願された"ARRANGMENT AND METHOD FOR TRANSMITTING CONTROL INFORMATION IN WIRELESS COMMUNICATION SYSTEMS"と題された米国仮出願６０／９８３，６３５号の利益を主張する。上記出願の全体は、参照によって本明細書に組み込まれる。
【技術分野】
【０００２】
本開示は、一般に無線通信に関し、さらに詳しくは、無線通信システムにおいて、制御情報を構成し送信する技術に関する。
【背景技術】
【０００３】
無線通信システムは、さまざまな通信サービスを提供するために広く開発されており、例えば、音声、ビデオ、パケット・データ、ブロードキャスト、およびメッセージ・サービスが、そのような無線通信システムによって提供されうる。これらのシステムは、利用可能なシステム・リソースを共有することにより、複数の端末のための通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含む。
【０００４】
通常、無線多元接続通信システムは、複数の無線端末のための通信を同時にサポートすることができる。そのようなシステムでは、おのおのの端末は、順方向リンクおよび逆方向リンクによる送信によって、１または複数の基地局と通信することができる。順方向リンク（すなわち、ダウンリンク）は、基地局から端末への通信リンクを称し、逆方向リンク（すなわち、アップリンク）は、端末から基地局への通信リンクを称する。この通信リンクは、単一入力単一出力（ＳＩＳＯ）システム、複数入力単一出力（ＭＩＳＯ）システム、または複数入力複数出力（ＭＩＭＯ）システム等によって確立されうる。
【０００５】
周波数において隣接したリソースのセットで送信が実行されるいくつかのシナリオでは、無線通信システムは、単一キャリア送信スキームを利用しうる。そのような送信スキームでは、例えばアクノレッジメント（ＡＣＫ）情報、チャネル品質情報（ＣＱＩ）等のような制御情報が、データ送信のために利用されるリソースで、および／または、制御シグナリングのために確保された１または複数のリソースのセットで送信されうる。単一キャリア送信を保証するために、そのような制御情報は、逆方向制御リソースのサブセットにおいてともに符合化されうる。
【０００６】
リンク・バジェットに挑むことを示すようないくつかのシナリオでは、ＡＣＫ情報は、一度に複数のサブフレームにわたって繰り返すように構成されうる。したがって、これらのシナリオ、および／または、その他のシナリオにおいて制御情報を構成し送信するための技術が望まれるだろう。
【発明の概要】
【０００７】
以下は、そのような態様の基本的な理解を与えるために、特許請求された主題のさまざまな態様の簡略化された概要を示す。この概要は、考えられるすべての態様の広範囲な概観ではなく、そのような態様の重要要素や決定的要素を特定することも、スコープを線引きすることも意図されていない。その唯一の目的は、後に示されるより詳細な記載に対する前置きとして、開示された対応のいくつかの概念を、簡略化された形式で示すことである。
【０００８】
態様によれば、無線通信システムにおいて制御情報を送信する方法が本明細書で記載される。この方法は、共通のサブフレームで送信されるべきアクノレッジメント（ＡＣＫ）情報およびチャネル品質情報（ＣＱＩ）を識別することと、ＡＣＫ情報が複数のサブフレームにわたって繰り返されるように構成されているかを判定することと、ＡＣＫ情報が複数のサブフレームにわたって繰り返されるように構成されていると判定されると、ＣＱＩなしでＡＣＫ情報を送信することとを備えうる。
【０００９】
別の態様は、無線通信装置に関する。この無線通信装置は、実質的に同時に送信されるべきＡＣＫ／否定的アクノレッジメント（ＮＡＫ）ＣＱＩシグナリングに関連するデータを格納するメモリを備えうる。無線通信装置はさらに、ＡＣＫ／ＮＡＫシグナリングが、複数のサブフレームにわたって送信を繰り返すように構成されているかを判定し、ＡＣＫ／ＮＡＫシグナリングが、複数のサブフレームにわたって送信を繰り返すように構成されていると判定されると、ＣＱＩシグナリングを破棄し、所与のサブフレームにおいてＡＣＫ／ＮＡＫシグナリングのみを送信するように構成されたプロセッサをさらに備えうる。
【００１０】
また別の態様は、無線通信システムにおいてＡＣＫ／ＮＡＫ情報を構成することを容易にする装置に関する。この装置は、ＣＱＩと共通のサブフレームにおいて送信されるべきＡＣＫ／ＮＡＫ情報を識別する手段と、ＡＣＫ／ＮＡＫ情報が複数のサブフレームにわたって繰り返すように構成されていると判定されると、ＡＣＫ／ＮＡＫ情報およびＣＱＩの送信のために共通のサブフレームからＣＱＩを破棄する手段とを備える。
【００１１】
さらなる態様は、コンピュータ読取可能媒体を備えるコンピュータ・プログラム製品に関する。このコンピュータ読取可能媒体は、ＣＱＩシグナリングと実質的に同時に送信されるべきＡＣＫシグナリングを識別するためのコードと、ＡＣＫシグナリングが連続的な繰り返し送信で通信されるべきであるかを判定するためのコードと、ＡＣＫシグナリングが連続的な繰り返し送信で通信されるべきであるかと判定されると、ＡＣＫシグナリングのために利用される符合化レートを低減することと、ＣＱＩシグナリング無しでＡＣＫシグナリングを送信することとのうちの１または複数を実行するためのコードとを備えうる。
【００１２】
また別の態様は、無線通信システムにおいて制御情報を送信するためのコンピュータ実行可能な命令群を実行する集積回路に関する。これら命令群は、ＡＣＫ／ＮＡＫ送信が繰り返し送信のために構成されていないと判定されると、共通のサブフレームでＡＣＫ／ＮＡＫ送信およびＣＱＩ送信を実行することと、サブフレームにおいて、ＣＱＩ送信なしでＡＣＫ／ＮＡＫ送信を実行することとを備えうる。ここで、ＡＣＫ／ＮＡＫ送信が繰り返し送信のために構成されていると判定されると、ＡＣＫ／ＮＡＫ送信およびＣＱＩ送信が、実質的に同時に実行されるべきである。
【００１３】
前述した目的および関連する目的を達成するために、権利主張される主題のうちの１または複数は、後に十分に記載され特に特許請求の範囲において指摘される特徴を備えている。以下の記載および添付図面は、権利主張された主題のある例示的な態様を詳細に述べている。しかしながら、これらの態様は、権利主張する主題の原理が適用されるさまざまな方式のうちのほんの僅かを示すに過ぎない。記載された態様は、そのような態様およびその均等物のすべてを含むことが意図される。
【図面の簡単な説明】
【００１４】
【図１】図１は、本明細書に記載されたさまざまな態様にしたがう無線多元接続通信システムを例示する。
【図２】図２は、さまざまな態様にしたがって制御情報を生成し通信するシステムのブロック図である。
【図３】図３は、さまざまな態様にしたがって無線通信システムにおいて情報を通信するために利用されうるチャネル構造を例示する。
【図４】図４は、さまざまな態様にしたがって無線通信システムにおいて実現されうる制御チャネル構成を例示する。
【図５】図５は、さまざまな態様にしたがって無線通信システムにおいて実現されうる制御チャネル構成を例示する。
【図６】図６は、さまざまな態様にしたがって無線通信システムにおいて実現されうる制御チャネル構成を例示する。
【図７】図７は、さまざまな態様にしたがって制御情報およびデータの送信に使用されうる構造を例示する。
【図８】図８は、さまざまな態様にしたがって制御情報の送信に使用されうる構成を例示する。
【図９】図９は、無線通信システムにおいて制御情報を構成する方法のフローチャートである。
【図１０Ａ】図１０Ａは、無線通信システムにおいて制御情報を構成し送信する方法のフローチャートを例示する。
【図１０Ｂ】図１０Ｂは、無線通信システムにおいて制御情報を構成し送信する方法のフローチャートを例示する。
【図１１】図１１は、本明細書に記載されたさまざまな態様が機能しうる無線通信システムを例示するブロック図である。
【図１２】図１２は、本明細書に記載されたさまざまな態様を実現するように動作可能な無線デバイスを例示するブロック図である。
【図１３】図１３は、無線通信システムによって通信されるべきアクノレッジメント情報を構成することを容易にする装置のブロック図である。
【発明を実施するための形態】
【００１５】
権利主張される主題のさまざまな態様が、全体を通じて同一要素を示すために同一の参照番号が使用される図面を参照して説明される。以下の記載では、説明の目的のために、１または複数の態様の完全な理解を提供するために、多くの具体的な詳細が述べられる。しかしながら、そのような態様は、これら具体的な詳細無しで実現されうることが明からである。他の事例では、１または複数の態様の記載を容易にするために、周知の構成およびデバイスがブロック図形式で示される。
【００１６】
本願で使用されるように、用語「構成要素」、「モジュール」、「システム」等は、ハードウェア、ファームウェア、ハードウェアとソフトウェアとの組み合わせ、ソフトウェア、または実行中のソフトウェアのようなコンピュータ関連エンティティを称することが意図される。例えば、構成要素は、限定される訳ではないが、プロセッサ上で実行中のプロセス、集積回路、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１つのコンピュータに局在化されるか、および／または、２つ以上のコンピュータに分散されうる。さらに、これらの構成要素は、さまざまなデータ構造を格納したさまざまなコンピュータ読取可能媒体から実行可能である。これら構成要素は、（例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような）１または複数のデータのパケットを有する信号にしたがって、ローカル処理および／またはリモート処理によって通信することができる。
【００１７】
さらに、本明細書ではさまざまな態様が、無線端末および／または基地局に関連して記載される。無線端末は、ユーザに音声および／またはデータ接続を提供するデバイスを称しうる。無線端末は、例えばラップトップ・コンピュータまたはデスクトップ・コンピュータのような計算デバイスに接続されうるか、あるいは、例えば情報携帯端末（ＰＤＡ）のような自己完結型デバイスでありうる。無線端末はまた、システム、加入者ユニット、加入者局、モバイル局、モバイル、遠隔局、アクセス・ポイント、遠隔端末、アクセス端末、ユーザ端末、ユーザ・エージェント、ユーザ・デバイス、あるいはユーザ機器とも称されうる。無線端末は、加入者局、無線デバイス、セルラ電話、ＰＣＳ電話、コードレス電話、セッション初期化プロトコル（ＳＩＰ）電話、無線ローカル・ループ（ＷＬＬ）局、携帯情報端末（ＰＤＡ）、無線接続機能を有する携帯型デバイス、あるいは無線モデムに接続されたその他の処理デバイスでありうる。基地局（例えば、アクセス・ポイント）は、エア・インタフェースによって１または複数のセクタを介して無線端末と通信するアクセス・ネットワーク内のデバイスを称することができる。基地局は、受信したエア・インタフェース・フレームをＩＰパケットに変換することによって、インターネット・プロトコル（ＩＰ）ネットワークを含みうるアクセス・ネットワークの無線端末とその他との間のルータとして動作することができる。基地局はまた、このエア・インタフェースのための属性管理をも調整する。
【００１８】
さらに、本明細書に記載のさまざまな機能は、ハードウェア、ソフトウェア、ファームウェア、あるいはこれらの組み合わせによって実現されうる。ソフトウェアで実現される場合、これら機能はコンピュータ読取可能媒体に格納されうるか、あるいは、コンピュータ読取可能媒体上の１または複数の命令群またはコードとして送信されうる。コンピュータ読取可能媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスされる利用可能な任意の媒体でありうる。例として、限定することなく、そのようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能媒体と適切に称される。例えば、同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるｄｉｓｋおよびｄｉｓｃは、コンパクト・ディスク（ＣＤ）、レーザ・ディスク、光ディスク、デジタル・バーサタイル・ディスク（ＤＶＤ）、フロッピー（登録商標）ディスク、およびブルーレイ・ディスク（ＢＤ）を含む。通常、ｄｉｓｋは、データを磁気的に再生し、ｄｉｓｃは、レーザを用いてデータを光学的に再生する。上記の組み合わせもまた、コンピュータ読取可能媒体の範囲内に含まれるべきである。
【００１９】
本明細書に記載されたさまざまな技術は、例えば符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリアＦＤＭＡ（ＳＣ−ＦＤＭＡ）システム、およびその他のシステムのようなさまざまな無線通信システムのために使用されうる。「システム」、「ネットワーク」という用語はしばしば置換可能に使用される。ＣＤＭＡシステムは、例えばユニバーサル地上ラジオ・アクセス（ＵＴＲＡ）、ＣＤＭＡ２０００等のような無線技術を実現することができる。ＵＴＲＡは、広帯域ＣＤＭＡ（Ｗ−ＣＤＭＡ）およびＣＤＭＡのその他の変形を含んでいる。さらに、ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ）のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳの最新のリリースである。ＵＴＲＡ、Ｅ−ＵＴＲＡ、ＵＭＴＳ、ＬＴＥ、およびＧＳＭは、「第３世代パートナシップ計画」（３ＧＰＰ）と命名された組織からの文書に記載されている。さらに、ＣＤＭＡ２０００およびＵＭＢは、「第３世代パートナシップ計画２」（３ＧＰＰ２）からの文書に記載されている。
【００２０】
多くのデバイス、構成要素、モジュール等を含みうるシステムの観点から、さまざまな態様が示されるだろう。さまざまなシステムが、追加のデバイス、構成要素、モジュール等を含みうるか、および／または、図面に関連して説明されたデバイス、構成要素、モジュール等の必ずしもすべてを含んでいる訳ではないことが理解され認識されるべきである。これらのアプローチの組み合わせもまた使用されうる。
【００２１】
図面に示すように、図１は、さまざまな態様にしたがう無線多元接続通信システムの実例である。一例において、アクセス・ポイント１００（ＡＰ）は、複数のアンテナ・グループを含んでいる。図１に例示されるように、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。図１ではおのおののアンテナ・グループについて２つのアンテナしか例示されていないが、おのおののグループについて、それよりも多いあるいはそれよりも少ないアンテナが適用されうることが認識されるべきである。別の例において、アクセス端末１１６（ＡＴ）は、アンテナ１１２、１１４と通信しうる。ここで、アンテナ１１２、１１４は、順方向リンク１２０でアクセス端末１１６へ情報を送信し、逆方向リンク１１８でアクセス端末１１６から情報を受信する。それに加えて、および／または、その代わりに、アクセス端末１２２は、アンテナ１０６、１０８と通信しうる。ここで、アンテナ１０６、１０８は、順方向リンク１２６でアクセス端末１２２へ情報を送信し、逆方向リンク１２４でアクセス端末１２２から情報を受信する。周波数分割デュプレクス（ＦＤＤ）システムでは、通信リンク１１８、１２０、１２４および１２６は、通信のために異なる周波数を使用しうる。例えば、順方向リンク１２０は、逆方向リンク１１８によって使用されるものとは異なる周波数を使用しうる。
【００２２】
通信するように指定された領域および／またはアンテナのおのおののグループは、アクセス・ポイントのセクタと称されうる。１つの態様によれば、アクセス・ポイント１００によってカバーされる領域のセクタ内のアクセス端末へ通信するために、複数のグループが設計されうる。順方向リンク１２０および順方向リンク１２６による通信では、アクセス・ポイント１００の送信アンテナは、別々のアクセス端末１１６、１２２のための順方向リンクの信号対雑音比を向上するために、ビームフォーミングを適用しうる。さらに、有効範囲にわたってランダムに散在するアクセス端末へ送信するためにビームフォーミングを用いるアクセス・ポイントは、近隣セル内の全てのアクセス端末へ単一のアンテナによって送信しているアクセス・ポイントよりも、近隣セル内のアクセス端末へ少ない干渉しかもたらさない。
【００２３】
例えばアクセス・ポイント１００のようなアクセス・ポイントは、端末と通信するために使用される固定局であり、基地局、ノードＢ、アクセス・ネットワーク、および／またはその他の適切な用語でも称されうる。その上、例えばアクセス端末１１６またはアクセス端末１２２のようなアクセス端末は、モバイル端末、ユーザ機器（ＵＥ）、無線通信デバイス、端末、無線端末、あるいはその他いくつかの専門用語でも称されうる。
【００２４】
図２は、本明細書に記載されたさまざまな態様にしたがって制御情報を生成し通信するためのシステム２００のブロック図である。一例において、システム２００は、１または複数の基地局２１０および１または複数の端末２２０を含みうる。図２には、１つの基地局２１０と１つの端末２２０しか示されていないが、システム２００は、任意の適切な数の基地局２１０および／または端末２２０を含みうることが認識されるべきである。
【００２５】
１つの態様によれば、基地局２１０および端末２２０は、基地局２１０および端末２２０にそれぞれ関連付けられた１または複数のアンテナ２１３、２２３によってアップリンク（ＵＬ）およびダウンリンク（ＤＬ）で通信しうる。一例において、ＤＬ送信は、送信機２１２によって基地局２１０において発信されうる。さらに詳しくは、基地局２１０における送信機２１２は、端末２２０に向けられるデータ、制御シグナリング、および／またはその他の情報を生成するか、生成しない場合には、取得しうる。その後、この情報は、送信機２１２およびアンテナ２１３によって、ダウンリンクで送信されうる。この情報は、１または複数のアンテナ２２３を経由して、端末２２０における受信機２２２によって受信されうる。ダウンリンクで端末２２０によって情報が受信されると、端末２２０における制御生成器２２６が、受信した情報に関連するフィードバックを生成するために、この受信した情報、基地局２１０と端末２２０との間の１または複数の通信リンクに関連する情報、および／または、その他の適切な情報を分析しうる。このフィードバックは、例えば、正しく受信された情報に関するアクノレッジメント（ＡＣＫ）、および／または、誤って受信された情報に関する否定的なアクノレッジメント（ＮＡＫ）、例えばチャネル品質インジケーションのようなチャネル品質情報（ＣＱＩ）、事前符号化行列表示（ＰＭＩ）、ランク情報等、および／または、その他の適切な情報を含みうる。その後、この情報は、送信機２２４およびアンテナ２２３を経由して、アップリンクで基地局２１０へ返信されうる。通信されると、制御情報は、アンテナ２１３および受信機２１４によって基地局２１０において受信されうる。
【００２６】
図２では例示されていないが、基地局２１０はさらに、端末２２０からのＵＬ送信に応答して制御情報を生成し、生成した制御情報のダウンリンクによる端末２２０への送信を容易にするための制御生成器２２６および／またはその他の適切な手段を含みうる。１つの態様によれば、基地局２１０は、プロセッサ２１６および／またはメモリ２１８を含みうる。これらは、本明細書に記載されたさまざまな態様を実現するために基地局２１０によって適用されうる。同様に、端末２２０も、プロセッサ２２７および／またはメモリ２２８を含みうる。
【００２７】
１つの態様によれば、アップリンクによる制御情報の送信は、例えば図３の図解３００によって例示されるようなチャネル構造を用いて実行されうる。一例において、図解３００は、Ｅ−ＵＴＲＡおよび／またはその他の適切な無線通信技術用語を用いるシステムにおいて適用されうるＵＬ制御シグナリング構造を例示する。１つの態様によれば、ＵＬ制御シグナリングが、一度に１または複数のサブフレーム３１０にわたって実行されうる。サブフレーム３１０のおのおのはさらに、２つのスロット３１２、３１４に分割されうる。一例において、サブフレーム３１０が及ぶ期間は、送信時間インタバル（ＴＴＩ）と称され、１ｍｓの長さであるか、あるいはその他任意の適切な長さでありうる。
【００２８】
図解３００によってさらに例示されるように、物理アップリンク制御チャネル（ＰＵＣＣＨ）３２０および／または物理アップリンク共有チャネル（ＰＵＳＣＨ）で、ＵＬ制御シグナリングが実行されうる。図解３００が例示するように、ＰＵＣＣＨ３２０は、システム帯域の端に位置する専用物理レイヤ（ＰＨＹ）リソースを備えうる。これは、スロット３１２および／または３１４それぞれの境界においてホッピングする。一例において、ＰＵＳＣＨ３３０は、ＰＵＣＣＨ３２０のために確保されていないいくつかまたはすべてのシステム・リソースを備えうる。
【００２９】
１つの態様によれば、（例えば、制御生成器２２６によって生成されうる制御シグナリングのような）ＵＬ制御情報は、ＡＣＫ／ＮＡＫ送信、ＣＱＩ送信、および／または、その他の適切な送信を含みうる。ＣＱＩ送信は、例えば、チャネル品質インジケーション、ＰＭＩ、ＲＩ、および／または、その他任意の適切な情報を含みうる。
【００３０】
別の態様によれば、制御および／またはデータは、サブフレーム３１０に関連付けられたＴＴＩ全体に制御が及ぶように、サブフレーム３１０内で多重化されうる。さらに、端末２２０によるアップリンクでの送信は、シングル・キャリア波形に限定されうる。したがって、ＵＬ制御情報は、送信されるべき制御情報のタイプ、所与のサブフレーム３１０においてデータが送信のためにスケジュールされているか、および／または、以下に示すようなその他の適切な要因に依存するさまざまな方式で端末２２０によって構成され送信されうる。
【００３１】
１つの態様によれば、どのデータも所与のサブフレーム３１０で送信されない場合、ＰＵＣＣＨ３２０内に確保されたリソースによって、定期的なＣＱＩレポートが、実行されうる。一例において、ＡＣＫ／ＮＡＫ送信のためのリソースは、以下に示すように、データ送信を伴わないサブフレームに割り当てられうる。ＤＬの非持続的な割り当てに準じてなされる送信の場合、ＡＣＫ／ＮＡＫ送信のためのリソースは、その送信のＤＬ割当のために使用される第１の制御チャネル要素（ＣＣＥ）に関連付けられうる。あるいは、リソースの持続的な割当のために、ＡＣＫ／ＮＡＫ送信のためのリソースが、持続的な割当に関連付けられ、もって、持続的に割り当てられうる。別の例において、ＤＬ仮想リソース・ブロック（ＲＢ）ＩＤと、対応するＡＣＫ／ＮＡＫの周波数／符号位置との間の暗黙的なマッピングを利用することによって、ＡＣＫ／ＮＡＫ送信のためのリソースが、データ送信を伴わないサブフレームについて割り当てられうる。例えば、そのような暗黙的なマッピングは、送信されるべきＡＣＫの合計数が、所与のデバイスへ割り当てられた仮想リソース・ブロックの数以下である場合に利用されうる。あるいは、所与のサブフレーム３１０において、データが、制御情報と同時に送信されるべきイベントでは、データのためのＰＵＳＣＨ３３０内のリソースを用いる際に、制御情報は、データと多重化されるか、および／または、そうでない場合には、データ内に埋め込まれる。
【００３２】
一例において、端末２２０によってアップリンクで送信された制御および／またはデータは、サブフレーム３１０に対応するＴＴＩ全体に及ぶように、多重化されうる。さらに、制御情報とともに同時に送信されるデータがないイベントでは、例えば、周波数ホップされた局所周波数分割多重化（ＬＦＤＭ）を用いて、制御情報のための波形が生成されうる。これによって、制御波形は、ＴＴＩ内での周波数ダイバーシティを最大化するために、隣接するサブキャリアまで及び、周波数でホップするようになる。それに加えて、および／または、その代わりに、データおよび制御情報の同時送信のために、制御波形が、データと同じＬＦＤＭ構造に基づいて生成されうる。一例において、制御情報は、直交性を保つためにホップ毎に小さな周波数領域ＣＤＭスパン（例えば、６０ｋＨｚ）が適用されうるハイブリッドＦＤＭ−ＣＤＭ変調スキームを用いて構成されうる。
【００３３】
１つの態様によれば、アップリンクのシングル・キャリア特性を保つために、ＣＱＩおよびＡＣＫ／ＮＡＫが同時に送信されるべきサブフレーム３１０において、２つのリソースのうちの１つのみが使用されうる。例えば、ＰＵＣＣＨ３２０内に確保されたＣＱＩリソースが利用され、ＣＱＩおよびＡＣＫ／ＮＡＫがサブフレーム３１０においてともに符号化される。サブフレームでは、ＡＣＫ／ＮＡＫおよびＣＱＩが、データなしで同時送信されうる。
【００３４】
別の態様によれば、端末２２０によって利用されるようなアップリンク制御チャネルは、複数のサブフレーム３１０による繰り返しをサポートするように設計されうる。これは、例えば、さまざまな要因によってシステム・リンク・バジェットが制限されるシナリオに対処するためになされる。したがって、リンク・バジェットが制限されたシナリオに関するアップリンク制御情報を構成し送信するために、本明細書におけるさまざまな態様にしたがって記載される手順が、端末によって利用されうる。
【００３５】
１つの態様によれば、図３に例示されるようなＰＵＣＣＨ３２０および／またはその他の適切な制御チャネルが、複数のフォーマットをサポートしうる。限定しない例によって、サポートされうる制御チャネル・フォーマットが、以下の表１に示される。  
【表１】
2011502436.tif 000003
【００３６】
図４における図解４０２、４０４は、上記表１で提供される制御チャネル・フォーマット０、１の実施例を例示する。しかしながら、図解４０２、４０４は、例として与えられており、情報の任意の適切なタイプおよび／または構成が、記載された制御チャネル・フォーマットを実現する際に利用されうることが認識されるべきである。
【００３７】
１つの態様によれば、制御チャネル・フォーマット０、１は、１または複数の調整されたＺａｄｏｆｆ−Ｃｈｕ（ＺＣ）シーケンスを備えうる。ここでは、通常サイクリック・プレフィクス（ＣＰ）と拡張ＣＰとの両方の場合について、サブフレーム毎に８つの直交フェーズ・シフト・キーイング（ＱＰＳＫ）シンボルと、８つのバイナリ・フェーズ・シフト・キーイング（ＢＰＳＫ）との送信を生成するために、追加の時間領域直交カバリングが適用される。したがって、制御チャネル・フォーマット０は、ＢＰＳＫ変調を用いたＡＣＫ／ＮＡＫおよび／またはその他の適切な情報のために、（８，１）からなるコード・レートを提供し、制御チャネル・フォーマット１は、ＱＰＳＫ変調を用いたＡＣＫ／ＮＡＫおよび／またはその他の適切な情報のために、（１６，２）からなるコード・レートを提供する。一例において、制御チャネル・フォーマット０は、単一のストリームに対応するＡＣＫ情報のために利用される一方、制御チャネル・フォーマット１は、（例えば、２つの複数入力複数出力（ＭＩＭＯ）コードワードを用いたＭＩＭＯ送信に関連付けられた）２つのストリームに対応するＡＣＫ情報のために利用されうる。
【００３８】
図４における図解４０２は、通常ＣＰのケースにおける制御チャネル・フォーマット０，１の実施例を示す。図解４０２によって例示されるように、サブフレーム内に確保された制御リソースは、時間において、１４の変調シンボルへ分割されうる。これらは、ＡＣＫ／ＮＡＫ送信および復調基準信号（ＤＭ−ＲＳ）へ割り当てられる。図解４０２がさらに例示するように、おのおののスロットにおいて、初め側と終わり側の２つの変調シンボルで利用されるように、ＡＣＫ／ＮＡＫ送信がアレンジされる。変調シンボルの残りは、ＤＭ−ＲＳのために利用されうる。
【００３９】
同様に、図解４０４は、制御チャネル・リソースが時間において１２の変調シンボルに分割される拡張ＣＰのケースにおける制御チャネル・フォーマット０、１の実施例を示す。一例では、図解４０２によって例示される通常ＣＰのケースと、図解４０４によって例示される拡張ＣＰのケースとの間のＣＰ長さの差が、それぞれのケースにおいて割り当てられた変調シンボルの違いに相当する。図解４０４が例示するように、ＡＣＫ／ＮＡＫ送信は、通常ＣＰケースの場合である図解４０２によって例示されているものと同様の方式で、拡張ＣＰのケースの場合、おのおののスロットにおいて、初め側と終わり側の２つの変調シンボルを利用するように構成され、変調シンボルの残りは、ＤＭ−ＲＳのために利用される。
【００４０】
１つの態様によれば、制御チャネル・フォーマット０、１は、図５における図解５０２、５０４によって例示するように、複数のサブフレームにわたって繰り返されうる。さらに詳しくは、図解５０２は、通常ＣＰの場合の数秘学について、制御チャネル・フォーマット０、１の実施例を例示する一方、拡張ＣＰの場合の数秘学について、制御チャネル・フォーマット０、１の実施例を例示する。図解５０２、５０４によって例示される実施例では、２つのサブフレームにわたる繰り返しによって、２つのサブフレームからなるおのおののセットについて、（制御チャネル・フォーマット０に対して）１６のＢＰＳＫシンボルが、および／または、（制御フォーマット・１に対して）１６のＱＰＳＫシンボルが生成されることが認識される。したがって、２つのサブフレームにわたる制御チャネル・フォーマット０の繰り返しによって、ＢＰＳＫ変調の場合、全体のコード・レートは（１６，１）になる一方、２つのサブフレームにわたる制御チャネル・フォーマット１の繰り返しによって、ＱＰＳＫ変調の場合、全体のコード・レートは（３２，２）になる。
【００４１】
図６に示すように、通常ＣＰの数秘学と、拡張ＣＰの数秘学とについて、上記した表１で与えられる制御チャネル・フォーマット２の実施例を示す図解６０２、６０４が提供される。図解６０２、６０４は、限定ではなく一例として提供されたものであって、説明された制御チャネル・フォーマットを実現するために、任意の適切な情報の構成および／またはタイプが利用されうることが認識されるべきである。
【００４２】
１つの態様によれば、制御チャネル・フォーマット０、１は、１または複数の調整されたＺＣシーケンスを備えうる。ここでは、通常ＣＰと拡張ＣＰとの両方のケースについて、サブフレーム毎に１０のＱＰＳＫシンボルの送信、あるいは、２０の符号化されたシンボルの等化物の送信を生成するために追加の時間領域直交カバリングが適用されうる。したがって、制御チャネル・フォーマット２は、ＣＱＩおよび／またはその他の適切な情報について、コード・レート（２０、Ｘ）を与えうる。ここで、Ｘは、サブフレーム毎に伝送されるＣＱＩのビット番号（例えば、４、５、６等）である。
【００４３】
図６の図解６０２は、通常ＣＰのケースにおける制御チャネル・フォーマット２の実施例を示す。図解６０２によって例示されるように、サブフレーム内に確保された制御リソースは、時間において、１４の変調シンボルに分割される。これら変調シンボルは、ＤＭ−ＲＳが、おのおののスロットにおいて、２番目および６番目の変調シンボルを利用し、ＣＱＩが、残りの変調シンボルを利用できるように、ＣＱＩとＤＭ−ＲＳとに割り当てられうる。同様に、図解６０４は、拡張ＣＰのケースにおける制御チャネル・フォーマット２の実施例を例示する。ここでは、制御チャネル・リソースが、時間において１２の変調シンボルに分割される。図解６０４が例示するように、ＣＱＩ送信は、拡張ＣＰのケースの場合、おのおののスロットにおいて、ＤＭ−ＲＳのために確保された４番目の変調シンボルを除くすべてを利用するように構成される。
【００４４】
再び図２に示すように、端末２２０における制御生成器２２６は、基地局２１０への制御情報の送信をアレンジするために、図４乃至図６によって例示される制御チャネル・フォーマットのうちの１または複数を利用する。１つの態様によれば、上述したＡＣＫ／ＮＡＫ情報およびＣＱＩの送信動作のためのコード・レートから認識されるように、所望の誤り率レベルを保証するために、単一のサブフレームでは十分ではない場合、ＣＱＩおよびＡＣＫ／ＮＡＫ情報をともに符号化することと同様、繰り返されたＡＣＫ送信の達成可能な信頼性にマッチさせることができないので、好ましくないと認識される。したがって、制御生成器２２６は、端末２２０が複数のサブフレームにわたってＡＣＫ送信を繰り返すように構成されたイベントにおいてでさえも、ＡＣＫ／ＮＡＫ情報および／またはその他の情報のための所望の誤り率レベルを保証するために、本明細書で記載されたさまざまな態様にしたがって動作しうる。
【００４５】
１つの態様によれば、データがサブフレームにおいて、制御送信要因および／またはその他の適切な要因とともに送信されるべきかに基づいて、さまざまな方式によって、ＵＬ制御送信を構築しうる。一例において、データが制御情報とともに送信されるべきであるサブフレームでは、ＵＬ制御情報が、データ送信の一部として端末２２０によって送信されうる。
【００４６】
この制御構成の実施例は、図７の図解７００によって例示される。図解７００が例示するように、制御情報は、サブフレームにおけるデータおよび制御情報の共通送信を容易にするために、サブフレーム内のＰＵＳＣＨリソースにおけるデータ送信内に埋め込まれる。しかしながら、図解７００は、限定しない例として与えられており、サブフレーム内の任意の適切なサブフレーム構造および／またはリソースは、データおよび／または制御情報を送信するために利用されうることが認識されるべきである。
【００４７】
１つの態様によれば、データ送信内に組み込まれたＣＱＩ、ＡＣＫ／ＮＡＫ情報、および／またはその他の制御情報に対して端末２２０によって適用されうる符号化レートは、制御情報の繰り返しファクタに応じて決定されうる。したがって、例えば、ＡＣＫ／ＮＡＫが繰り返すように構成された場合においては、制御情報のために、第１の符号化レートが適用され、ＡＣＫ／ＮＡＫが繰り返されない場合においては、第２の符号化レートが適用されうる。それに加えて、および／または、その代わりに、端末２２０は、例えば、データ送信の変調／符号化スキーム（ＭＣＳ）のようなその他の要因に基づいて、制御情報に符号化レートを適用しうる。
【００４８】
代替例では、データなしで制御情報が送信されるべきサブフレームでは、端末２２０は、端末２２０が複数のサブフレームにわたって制御情報を繰り返すように構成されているかに基づいて、以下の説明で提供されたようなさまざまな方式でＵＬ制御情報を調整しうる。１つの態様によれば、端末２２０が、ＡＣＫおよびＣＱＩのノミナルの（例えば、繰り返されない）送信のために構成されている場合、端末２２０は、図８の図解８０２および／または図解８０４に例示するように、ＡＣＫとＣＱＩとを同時に送信しうる。
【００４９】
図８における図解８０２によって例示されるように、端末２２０は、（例えば、図６によって例示されるように）ＣＱＩのために確保された制御チャネル・リソースを用いて、ＣＱＩとＡＣＫ／ＮＡＫ情報とについて、ともに符号化することを適用しうる。それに加えて、および／または、その代わりに、端末２２０は、図解８０４によって例示されているように、サブフレーム内で適用される１または複数のＵＬ復調基準信号（ＤＭ−ＲＳ）を変調することによって、ＣＱＩの送信、および、ＡＣＫ／ＮＡＫの搬送のために、ＣＱＩのために確保された制御チャネル・リソースを適用しうる。そのような例では、例えばＢＰＳＫ、ＱＰＳＫ、ｎ−ＱＡＭ（直交振幅変調）等のような任意の適切な変調スキームを用いてＡＣＫ／ＮＡＫ情報を搬送するために、基準信号が変調されうる。
【００５０】
１つの態様によれば、図８で提供されるように、図解８０２によって例示されるような制御送信構造が、拡張ＣＰのケースにおいて適用され、図解８０４によって例示されるような制御送信構造が、通常ＣＰのケースにおいて適用されうる。しかしながら、図解８０２、８０４で例示されるような制御チャネル構造は、任意の適切なＣＰタイプおよび／またはサブフレーム構造について利用されうることが認識されるべきである。
【００５１】
別の態様によれば、ＡＣＫ送信を繰り返すように端末２２０が構成されているのであれば、サブフレームにおいてＣＱＩ送信を破棄することによってＡＣＫとＣＱＩとが同時に送信されるべきである場合、端末２２０は、このサブフレームにおけるＡＣＫ送信のための所望の誤り率を維持しうる。したがって、一例では、図４における図解４０２および／または図解４０４によって例示されるように、ＡＣＫ送信のために確保された制御チャネル・リソースを用いて、ＡＣＫ情報がサブフレームにおいて送信されうる。一例において、ＡＣＫが繰り返されるように構成された場合におけるＵＬ  ＡＣＫ送信は、対応するＤＬ割当のために使用される第１の制御チャネル要素（ＣＣＥ）に関連付けられうる。
【００５２】
１つの態様によれば、基地局２１０は、端末２２０によるＡＣＫ送信が繰り返され、ＣＱＩの送信とオーバラップする状況における端末２２０の挙動を知っているので、基地局２１０における受信機２１４に、必要な複雑さを増加させることなく、上述した技術のうちの１または複数が、端末２２０によって実現されうる。別の態様によれば、ＣＱＩが繰り返されるように構成されているかに関わらず、ＡＣＫ送信が繰り返される場合において、上述した技術のうちの１または複数が、端末２２０によって実現されうることが認識されうる。
【００５３】
図９、図１０Ａ、および図１０Ｂに示すように、本明細書に記載されたさまざまな態様にしたがって実行される方法論が例示される。説明を単純にする目的で、これら方法論は、一連の動作として示され説明されているが、これら方法論は、幾つかの動作が本明細書で示され記載されたものとは異なる順序で、あるいは他の動作と同時に生じうるので、動作の順序によって限定されないことが理解され認識されるべきである。例えば、当業者であれば、これら方法論はその代わりに、例えば状態図におけるように、一連の相互関連する状態またはイベントとして表されうることを理解し認識するだろう。さらに、１または複数の態様にしたがって方法論を実現するために、必ずしも例示された全ての動作が必要とされる訳ではない。
【００５４】
図９を参照して、（例えば、システム２００のような）無線通信システムにおいて制御情報を構成するための方法論９００が例示される。例えば、モバイル端末（例えば、端末２２０）および／またはその他任意の適切なネットワーク・エンティティによって実行されうることが認識されるべきである。方法論９００は、共通のサブフレームで送信されるべきＡＣＫ情報および／またはＣＱＩが識別されるブロック９０２において開始される。次に、ブロック９０４では、ＡＣＫ情報が、複数のサブフレームにわたって繰り返されるべきであるかが判定される。
【００５５】
その後、方法論９００は、ＡＣＫ情報が繰り返されるように構成されているかに基づいて、ブロック９０２で識別されたＡＫＣ情報に対して符号化レートが適用されるブロック９０６において終了する。ブロック９０６では、ＡＣＫ送信が繰り返されるように構成されていない場合、第１の符号化レートが、ＡＣＫ情報へ適用される。一方、ＡＣＫ情報が繰り返されるようになっている場合、第１の符号化レートより低い第２の符号化レートが、ＡＣＫ情報に適用される。１つの態様によれば、システム・リンク・バジェットが制限されているシナリオにおいて、および／または、ＡＣＫ情報の信頼性が問題になるその他の類似の状況において、ＡＣＫ情報が繰り返されるように構成されうる。したがって、そのようなシナリオにおいてＡＣＫ情報の達成可能な信頼性を保つために、ＡＣＫおよびＣＱＩが同時に送信されることになっているサブフレームにおいて、ＡＣＫ情報に対して、より低い符号化レートが適用されうる。これは、例えば、ＡＣＫ情報を搬送するためにより多くの変調シンボルを利用し、サブフレームにおけるＣＱＩを破棄し、ＡＣＫ／ＮＡＫおよびＣＱＩの同時送信ではなくＡＣＫ／ＮＡＫのみを送信することによって、および／または、その他の適切な手段によって達成されうる。
【００５６】
図１０Ａおよび図１０Ｂに移り、無線通信システムにおいて制御情報を構成し送信するための方法論１０００が例示される。方法論１０００は、例えば、無線通信システムにおけるＵＥおよび／またはその他任意の適切なエンティティによって実行されうる。方法論１０００は、図１０Ａによって例示されるブロック１００２において開始され、指定された共通のサブフレームで送信されるべきＡＣＫ情報および／またはＣＱＩが識別される。次に、ブロック１００４において、ブロック１００２で識別されたＡＣＫ情報および／またはＣＱＩが、データともに送信されるべきかが判定される。
【００５７】
ブロック１００４において肯定的な判定がなされると、方法論１０００は、ブロック１００６へ進み、ＡＣＫ情報および／またはＣＱＩが、ＡＣＫ情報の繰り返しファクタに基づく符号化レートを用いて符号化される。したがって、例えば、第１の符号化レートが、繰り返しのないＡＣＫ送信のために利用される一方、第２のより低い符号化レートが、繰り返しのあるＡＣＫ送信のために利用される。別の例では、ブロック１００６において適用される符号化ブロックはさらに、データ送信のためのＭＣＳに基づきうる。方法論１０００はその後、ＡＣＫ情報および／またはＣＱＩが、（例えば、図解７００によって例示されたように）ブロック１００４で判定されたデータ送信の一部として送信されるブロック１００８において終了する。
【００５８】
あるいは、ブロック１００４において、ＡＣＫ情報および／またはＣＱＩがデータ無しで送信されるべきであれば、方法論１０００は、参照Ａに従って、図１０Ｂによって例示されるようにブロック１０１０へ進む。ブロック１０１０では、ＡＣＫ情報が、繰り返しのために構成されているかが判定される。ＡＣＫ情報が、繰り返されるように構成されている場合、方法論１０００は、ブロック１０１２に進み、ＡＣＫ情報と共通のサブフレームで送信されるべきであるとブロック１００２で識別された何れかのＣＱＩが破棄される。方法論１０００は、その後、（例えば、図解４０２および／または図解４０４によって例示したような）ＡＣＫ情報のために確保された制御リソースを用いてＡＣＫ情報が送信されるブロック１０１４において終了する。
【００５９】
一方、ブロック１０１０において、ＡＣＫ情報が繰り返されるべきであると構成されていないと判定されると、方法論１０００は、それぞれの態様にしたがって、ブロック１０１６および／またはブロック１０２０へ進む。１つのそのような態様によれば、方法論１０００は、ブロック１０１０からブロック１０１６へ進み、ブロック１０１６で識別されたＡＣＫ情報およびＣＱＩが、ＣＱＩのために確保された制御リソースによってともに符合化される。方法論１０００は、例えば、共通のサブフレームにおいてＣＱＩとＡＣＫとが送信され、かつ、拡張ＣＰが利用される場合には、ブロック１０１０からブロック１０１６へ進む。ブロック１０１８では、ともに符合化されたＡＣＫ情報およびＣＱＩが、その後（例えば、図解８０２によって例示されるようにして）送信される。別の態様によれば、方法論１０００は、ブロック１０１０からブロック１０２０へ進み、ＣＱＩが、ＣＱＩのために確保された制御リソースによって送信される。その後、方法論１０００は、ブロック１０２２へ進み、アップリンク復調基準信号が、（例えば、図解８０４によって例示されるように）ＡＣＫ情報に基づいて変調される。方法論１０００は、例えば、共通のサブフレームにおけるＣＱＩおよびＡＣＫの送信が引き起こり、通常ＣＰが利用される場合、ブロック１０２０、１０２２へ進む。
【００６０】
図１１に示すように、本明細書に記載のさまざまな態様が機能しうる無線通信システム１１００の例が提供される。一例において、システム１１００は、送信機システム１１１０および受信機システム１１５０を含む複数入力複数出力（ＭＩＭＯ）システムである。しかしながら、送信機システム１１１０および／または受信機システム１１５０は、複数入力単数出力システムに適用することが可能であり、例えば、（例えば、基地局上の）複数の送信アンテナが、１または複数のシンボル・ストリームを、単一のアンテナ・デバイス（例えば、モバイル局）へ送信しうることが認識されるべきである。さらに、本明細書に記載された送信機システム１１１０および／または受信機システム１５０の態様は、単一入力単一出力アンテナ・システムとの接続に利用されうることが認識されるべきである。
【００６１】
１つの態様によれば、多くのデータ・ストリームのトラフィック・データが、送信機システム１１１０において、データ・ソース１１１２から送信（ＴＸ）データ・プロセッサ１１１４へ提供される。一例において、その後、おのおののデータ・ストリームが、それぞれの送信アンテナ１１２４を介して送信されうる。それに加えて、ＴＸデータ・プロセッサ１１１４は、符合化されたデータを提供するために、トラフィック・データをフォーマットし、このデータ・ストリームのために選択された特定の符合化スキームに基づいて符号化し、インタリーブする。一例において、おのおののデータ・ストリームの符合化されたデータは、ＯＦＤＭ技術を用いてパイロット・データと多重化されうる。パイロット・データは一例として、既知の方法で処理される既知のデータ・パターンである。さらに、チャネル応答を推定するために、パイロット・データが、受信機システム１１５０において使用されうる。送信機システム１１１０に戻り、おのおののデータ・ストリームについて多重化されたパイロットおよび符合化されたデータは、変調シンボルを提供するために、おのおののデータ・ストリームについて選択された特定の変調スキーム（例えば、ＢＰＳＫ、ＱＰＳＫ、Ｍ−ＰＳＫ、またはＭ−ＱＡＭ）に基づいて変調（例えば、シンボル・マップ）されうる。一例において、おのおののデータ・ストリームのデータ・レート、符号化、および変調は、プロセッサ１１３０によって実行される命令群によって決定されうる。
【００６２】
次に、すべてのデータ・ストリームの変調シンボルが、（例えば、ＯＦＤＭのための）変調シンボルを処理するＴＸ  ＭＩＭＯプロセッサ１１２０に提供される。ＴＸ  ＭＩＭＯプロセッサ１１２０はその後、ＮＴ個の変調シンボル・ストリームを、ＮＴ個の送信機（ＴＭＴＲ）１１２２ａ乃至１１２２ｔへ提供する。一例において、おのおののトランシーバ１１２２は、１または複数のアナログ信号を提供するために、それぞれのシンボル・ストリームを受信して処理する。おのおのの送信機１１２２は、その後さらに、ＭＩＭＯチャネルによる送信に適切な変調信号を提供するために、このアナログ信号を調整（例えば、増幅、フィルタ、およびアップコンバート）する。したがって、ＮＴ個のトランシーバ１１２２ａ乃至１１２２ｔからのＮＴ個の変調信号は、ＮＴ個のアンテナ１１２４ａ乃至１１２４ｔそれぞれから送信される。
【００６３】
別の態様によれば、受信機システム１１５０において、送信された変調信号がＮＲ個のアンテナ１１５２ａ乃至１１５２ｒによって受信されうる。その後、おのおののアンテナ１１５２からの受信信号が、それぞれのトランシーバ１１５４へ提供される。一例において、おのおののトランシーバ１１５４は、それぞれの受信信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。その後、ＲＸ  ＭＩＭＯ／データ・プロセッサ１１６０は、ＮＲ個のトランシーバ１１５４からＮＲ個のシンボル・ストリームを受信し、受信されたこれらシンボル・ストリームを、特定の受信機処理技術に基づいて処理して、ＮＴ個の「検出された」シンボル・ストリームを提供する。一例において、検出されたおのおののシンボル・ストリームは、対応するデータ・ストリームのために送信された変調シンボルの推定値であるシンボルを含みうる。その後、ＲＸデータ・プロセッサ１１６０は、少なくとも部分的に、検出されたおのおののシンボル・ストリームを復調し、デインタリーブし、復号することによって、対応するデータ・ストリームのためのトラフィック・データを復元する。したがって、ＲＸプロセッサ１１６０による処理は、送信機システム１１１０におけるＴＸ  ＭＩＭＯプロセッサ１１２０およびＴＸデータ・プロセッサ１１１４によって実行されるものと相補的である。ＲＸプロセッサ１１６０は、さらに、処理されたシンボル・ストリームをデータ・シンク１１６４に提供しうる。
【００６４】
１つの態様によれば、ＲＸプロセッサ１１６０によって生成されたチャネル応答推定値は、受信機における空間／時間処理の実行、電力レベルの調節、変調レートまたはスキームの変更、および／またはその他の適切な動作のために使用されうる。それに加えて、ＲＸプロセッサ１１６０はさらに、例えば、検出されたシンボル・ストリームの信号対雑音および干渉比（ＳＮＲ）のようなチャネル特性を推定しうる。その後、ＲＸプロセッサ１１６０は、推定されたチャネル特性をプロセッサ１１７０へと提供しうる。一例において、ＲＸプロセッサ１１１６０および／またはプロセッサ１１７０はさらに、システムの「動作中の」ＳＮＲの推定値を導出しうる。プロセッサ１１７０はその後、通信リンクおよび／または受信したデータ・ストリームに関する情報を備えうるチャネル状態情報（ＣＳＩ）を提供しうる。この情報は、例えば、動作中のＳＮＲを含みうる。ＣＳＩはその後、ＴＸデータ・プロセッサ１１１８によって処理され、変調器１１８０によって変調され、受信機１１５４ａ乃至１１５４ｒによって調整され、送信機システム１１１０へ送り戻される。それに加えて、受信機システム１１５０におけるデータ・ソース１１１６が、ＴＸデータ・プロセッサ１１１８によって処理されるべき追加データを提供しうる。
【００６５】
送信機システム１１１０に戻り、受信機システム１１５０からの変調信号はその後、アンテナ１１２４によって受信され、トランシーバ１１２２によって調整され、復調器１１４０によって復調され、ＲＸデータ・プロセッサ１１４２によって処理されて、受信機システム１１５０によってレポートされたＣＳＩが復元される。一例において、レポートされたＣＳＩはその後プロセッサ１１３０へ提供され、１または複数のデータ・ストリームのために使用されるべき符合化および変調スキームのみならずデータ・レートを決定するために使用されうる。決定された符合化および変調スキームはその後、量子化および／または受信機システム１１５０へのその後の送信のために、トランシーバ１１２２へ提供されうる。それに加えて、および／または、その代わりに、レポートされたＣＳＩは、ＴＸデータ・プロセッサ１１１４およびＴＸ  ＭＩＭＯプロセッサ１１２０のためのさまざまな制御を生成するために、プロセッサ１１３０によって使用されうる。別の例では、ＲＸデータ・プロセッサ１１４２によって処理されたＣＳＩおよび／またはその他の情報が、データ・シンク１１４４へ提供されうる。
【００６６】
一例において、送信機システム１１１０におけるプロセッサ１１３０および受信機システム１１５０におけるプロセッサ１１７０は、それぞれのシステムにおける動作を指示する。さらに、送信機システム１１１０におけるメモリ１１３２と、受信機システム１１５０におけるメモリ１１７２とが、プロセッサ１１３０、１１７０のそれぞれによって使用されるプログラム・コードとデータのためのストレージを提供する。さらに、受信機システム１１５０では、さまざまな処理技術が、ＮＴ個の送信されたシンボル・ストリームを検出するために、ＮＲ個の受信信号を処理するために使用されうる。これらの受信機処理技術は、空間的および空間／時間受信機処理技術を含みうる。これらは、等値化技術、および／または、「連続ヌルイング／等値化および干渉除去」受信機処理技術とも称される。「連続ヌルイング／等値化および干渉除去」受信機処理技術は、「連続干渉除去」または「連続除去」受信機処理技術とも称されうる。
【００６７】
図１２は、本明細書に記載されたさまざまな態様にしたがって無線通信システムにおける制御情報の送信を容易にするシステム１２００のブロック図である。一例において、システム１２００は、モバイル端末１２０２を含んでいる。例示されるように、モバイル端末１２０２は、１または複数の基地局１２０４から信号を受信し、１または複数のアンテナ１２０８を経由して１または複数の基地局１２０４へ送信しうる。それに加えて、モバイル端末１２０２は、アンテナ１２０８から情報を受信する受信機１２１０を備えうる。一例において、受信機１２１０は、受信した情報を復調する復調器（Ｄｅｍｏｄ）１２１２と動作可能に関連付けられうる。その後、復調されたシンボルは、プロセッサ１２１４によって分析されうる。プロセッサ１２１４は、メモリ１２１６に結合されうる。メモリ１２１６は、モバイル端末１２０２に関連するデータおよび／またはプログラム・コードを格納しうる。それに加えて、モバイル端末１２０２は、方法論１０００、１１００および／またはその他の類似および適切な技術を実行するプロセッサ１２１４を適用しうる。モバイル端末１２０２はまた、アンテナ１２０８を介した送信機１２２０による送信のために、信号を多重化する変調器１２１８を含みうる。
【００６８】
図１３は、無線通信システムによって通信されるべきアクノレッジメント情報を構成することを容易にする装置１３００を例示する。装置１３００は、プロセッサ、ソフトウェア、または（例えば、ファームウェアのような）これらの組み合わせによって実現される機能を表す機能ブロックでありうる機能ブロックを含むものとして表されることが認識されるべきである。装置１３００は、（例えば端末２２０のような）ＵＥおよび／またはその他任意の適切なネットワーク・エンティティにおいて実現され、ＣＱＩと共通のサブフレームで送信されるべきＡＣＫ／ＮＡＫ情報を識別するモジュール１３０２を含みうる。装置１３００はさらに、ＡＣＫ／ＮＡＫ情報の所望の誤り率レベルが維持されるように、データおよび制御の送信のためのデータ・リソースによって、あるいは、データのない制御の送信のための制御リソースによって、識別されたＡＣＫ／ＮＡＫ情報の送信を構成するためのモジュール１３０４を含みうる。
【００６９】
本明細書に記載の態様は、ハードウェア、ソフトウェア、ファームウェア、ミドルウェア、マイクロコード、あるいはこれらの任意の組み合わせによって実現されうることが理解されるべきである。これらシステムおよび／または方法が、ソフトウェア、ファームウェア、ミドルウェアあるいはマイクロコード、プログラム・コードあるいはコード・セグメントで実現される場合、それらは、例えばストレージ要素のような機械読取可能媒体内に格納されうる。コード・セグメントは手順、機能、サブプログラム、プログラム、ルーチン、サブルーチン、モジュール、ソフトウェア・パッケージ、クラス、あるいは、命令群、データ構造、およびプログラム文の任意の組み合わせを表わしうる。コード・セグメントは、情報、データ、引数、パラメータ、あるいはメモリ・コンテンツを引き渡すことによって、および／または、受信することによって、別のコード・セグメントまたはハードウェア回路に結合されうる。情報、引数、パラメータ、データ等は、メモリ共有、メッセージ引渡し、トークン引渡し、ネットワーク送信等を含む任意の適切な手段を用いて引渡し、転送、あるいは送信されうる。
【００７０】
ソフトウェアで実現する場合、本明細書に記載のこれら技術は、本明細書に記載の機能を実行するモジュール（例えば、手順、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００７１】
上述したものは、１または複数の態様の例を含んでいる。もちろん、上述した態様を説明する目的で、構成要素または方法論の考えられる全ての組み合わせを記述することは可能ではないが、当業者であれば、さまざまな態様のさらに多くの組み合わせおよび置き換えが可能であることを認識することができる。したがって、記載された態様は、特許請求の範囲の精神およびスコープ内にあるそのような全ての変更、修正、および変形を含むことが意図される。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。さらに、詳細説明または特許請求の範囲の何れかで使用される用語である「または」は、「限定しない、または」であると意味される。
【図１】
2011502436.tif 000004
【図２】
2011502436.tif 000005
【図３】
2011502436.tif 000006
【図４】
2011502436.tif 000007
【図５】
2011502436.tif 000008
【図６】
2011502436.tif 000009
【図７】
2011502436.tif 000010
【図８】
2011502436.tif 000011
【図９】
2011502436.tif 000012
【図１０Ａ】
2011502436.tif 000013
【図１０Ｂ】
2011502436.tif 000014
【図１１】
2011502436.tif 000015
【図１２】
2011502436.tif 000016
【図１３】
2011502436.tif 000017
【国際調査報告】
2011502436.tif 000018
2011502436.tif 000019